(57)【要約】【課題】２種の液体を別個に収容し且つ開封の際にはこれらを内部で混合することが出来る容器であって、組立構造がより簡単であり且つ一層容易な操作で２種の液体を混合して取り出すことの出来る二液収納混合容器を提供する。【解決手段】二液収納混合容器は、略２段円筒状の容器本体（１）と、押込み可能に装着されたノズル（２）と、容器本体（１）の先端部を封止する第１の駒部材（３）と、容器本体（１）の内径の絞り部を封止する第２の駒部材（４）と、容器本体（１）の後端の封止材（５）とから構成され、容器本体（１）の前半部（１ａ）に第１の液体を収容し且つ後半部（１ｂ）に第２の液体を収容する様になされている。そして、第１の駒部材（３）及び第２の駒部材（４）は、ノズル（２）の押込み操作により、当該ノズルに連動して先端部および絞り部における各封止をそれぞれ解除可能になされている。【選択図】        図１
2005014990.tif 000002
【特許請求の範囲】
【請求項１】
２種の液体を別個に収容し且つ開封の際にはこれらを混合可能になされた二液収納混合容器であって、前半部（１ａ）が後半部（１ｂ）よりも内径を小径になされた略２段円筒状の容器本体（１）と、当該容器本体の先端に押込み可能に装着されたノズル（２）と、当該ノズルの基端に略当接する状態で容器本体（１）に挿入されて容器本体（１）の先端部（１ｅ）を封止する第１の駒部材（３）と、当該第１の駒部材の後端に略当接する状態で容器本体（１）に挿入されて容器本体（１）の内径の絞り部（１ｆ）を封止する第２の駒部材（４）と、容器本体（１）の後端に装着された封止材（５）とから構成されることにより、容器本体（１）の前半部（１ａ）に第１の液体を収容し且つ容器本体（１）の後半部（１ｂ）に第２の液体を収容する様になされ、そして、第１の駒部材（３）及び第２の駒部材（４）は、ノズル（２）の押込み操作により、当該ノズルに連動して容器本体（１）の先端部（１ｅ）及び絞り部（１ｆ）における封止をそれぞれ解除可能になされていることを特徴とする二液収納混合容器。
【請求項２】
ノズル（２）は、容器本体（１）から突出する先端側が略円錐状に形成され且つその先端に細管状の射出口（２３）が突設されている請求項１に記載の二液収納混合容器。
【請求項３】
ノズル（２）先端の射出口（２３）の基部の周囲には、円環状の窪み（２４）が設けられている請求項２に記載の二液収納混合容器。
【請求項４】
ノズル（２）の基端部には、当該ノズルの中心線に沿って複数のスリット（２２）が設けられている請求項１〜３の何れかに記載の二液収納混合容器。
【請求項５】
ノズル（２）を含む容器本体（１）の前半部（１ａ）に被せられる逆有底円筒状の蓋（６）を備え、当該蓋の内側頂点には、ノズル（２）の射出口（２３）に挿入されて当該射出口を封止する針状突起（６４）が突設され、当該針状突起の周囲には、蓋（６）を被せた際に針状突起（６４）へ向けて射出口（２３）を相対的に案内する円筒状の案内部（６３）が設けられている請求項１〜４の何れかに記載の二液収納混合容器。
【発明の詳細な説明】
【０００１】
【発明の属する技術分野】
本発明は、二液収納混合容器に関するものであり、詳しくは、歯牙修復材料や各種の接着剤などの２種の液体を混合使用する場合に適用される容器であって、２種の液体を別個に収容し且つ開封の際にはこれらを内部で混合することが出来る二液収納混合容器に関するものである。
【０００２】
【従来の技術】
２種の材料、例えば粉体と液体とを別個に収容する容器は、歯牙修復材料の包装などに適用される。斯かる容器としては、例えば、先端側が幾分小径に形成され且つ内部に液体が充填される略円筒状の容器本体と、当該容器本体の先端側に一部挿入状態で装着され且つ内部に粉体が充填される略円筒状のカプセル（上部シリンジ部）とから構成された容器が知られている。斯かる容器において、カプセルは、容器本体に嵌め込まれる有底円筒状の外筒部と、下端が傾斜状態にカッティングされ且つ外筒部に上端側から挿入された円筒状の内筒部と、内筒部の上端に取り付けられた逆有底円筒状のキャップとから構成されており、使用する場合は、カプセルのノズル部を押し込み、外筒部に対して内筒部を押し下げることにより、その下端の尖鋭構造によって外筒部の下端を破断し、カプセル内部の粉体を容器本体の液体に混合し、そして、カプセルのキャップを取り外すことにより、容器本体内の粉体と液体の混合物を取り出す（特許文献１参照）。
【０００３】
【特許文献１】
国際公開第ＷＯ  ０２／３６０６５  Ａ１号公報（Ｆｉｇ．１、Ｆｉｇ．２）
【０００４】
【発明が解決しようとする課題】
ところで、上記の容器は、外筒部および内筒部から成るカプセルのいわゆる二重管の部位を容器本体に嵌め込み、しかも、カプセルの外筒部を容器本体の先端側に溶着などによって強固に固定しなければならず、組立構造が極めて複雑である。また、上記の容器は、これを開封する場合、カプセルの外筒部を破断する操作、および、キャップを取り外す操作の２つの操作を行わなければならないため、素早く内容物を取り出すのに不都合がある。更に、カプセルの下端部が容器本体内部に配置されているため、内容物を取り出すのに容器本体を転倒させた場合、カプセル下端部と容器本体内周部との隙間に内容物が残留し、内容物の全てを取り出すことが出来ないと言う問題がある。
【０００５】
本発明は、粉体と液体の混合用の上記の様な容器の構造を２種の液体の収納混合に適用すべく種々検討の結果なされたものであり、その目的は、２種の液体を別個に収容し且つ開封の際にはこれらを内部で混合することが出来る二液収納混合容器であって、組立構造がより簡単であり、しかも、一層容易な操作で２種の液体を混合して取り出すことの出来る二液収納混合容器を提供することにある。
【０００６】
【課題を解決するための手段】
本発明は、２つの駒部材と後端の封止材とによって１つの容器本体内部を２室に仕切ることにより、容器本体に２種の液体を別個に収容する様にした。そして、容器本体の先端に装着したノズルの１回の操作により、これに連動させて容器本体内で２つの駒部材を移動させ、これにより、容器本体を開封し、しかも、容器本体内部が実質的に１室になる様にした。
【０００７】
すなわち、本発明の要旨は、２種の液体を別個に収容し且つ開封の際にはこれらを混合可能になされた二液収納混合容器であって、前半部が後半部よりも内径を小径になされた略２段円筒状の容器本体と、当該容器本体の先端に押込み可能に装着されたノズルと、当該ノズルの基端に略当接する状態で前記容器本体に挿入されて当該容器本体の先端部を封止する第１の駒部材と、当該第１の駒部材の後端に略当接する状態で前記容器本体に挿入されて当該容器本体の内径の絞り部を封止する第２の駒部材と、前記容器本体の後端に装着された封止材とから構成されることにより、前記容器本体の前半部に第１の液体を収容し且つ前記容器本体の後半部に第２の液体を収容する様になされ、そして、前記第１の駒部材および前記第２の駒部材は、前記ノズルの押込み操作により、当該ノズルに連動して前記容器本体の先端部および絞り部における封止をそれぞれ解除可能になされていることを特徴とする二液収納混合容器に存する。
【０００８】
【発明の実施の形態】
本発明に係る二液収納混合容器の一実施形態を図面に基づいて説明する。図１は、本発明に係る二液収納混合容器の内部構造を破断して示す斜視図である。図２は、本発明に係る二液収納混合容器の組立構造を展開して示す斜視図であり、図３は、本発明に係る二液収納混合容器の組立構造を展開して示す縦断面図である。図４は、本発明に係る二液収納混合容器の使用方法ならびに第１の駒部材と第２の駒部材の機能を示す縦断面図である。以下、実施形態の説明においては、二液収納混合容器を「容器」と略記する。
【０００９】
本発明の容器は、２種の液体を別個に収容し且つ使用の際にはこれらを混合可能になされた容器であり、混合して使用されるべき液体、例えば、各種の医薬品の他、歯牙修復用液体材料、手術補助剤などの医薬品外の液体物質、接着剤、充填剤などの医療用途以外の液体物質を包装する場合にも適用される。
【００１０】
本発明の容器は、通常は透明性の樹脂材料、典型的には耐薬品性および耐熱性に優れた環状ポリオレフィン、ポリプロピレン、ポリエチレン、ポリエチレンナフタレート等の樹脂材料によって形成される。また、光で変質または硬化する様な液体を収容する場合には、カーボンブラック等の遮光性材料が配合された樹脂材料によって形成される。
【００１１】
本発明の容器は、図１及び図２に示す様に、前半部（１ａ）が後半部（１ｂ）よりも内径を小径になされた略２段円筒状の柔軟な容器本体（１）と、当該容器本体の先端に押込み可能に装着されたノズル（２）と、当該ノズルの基端に略当接する状態で容器本体（１）に挿入されて容器本体（１）の先端部（１ｅ）を封止する第１の駒部材（３）と、当該第１の駒部材の後端に略当接する状態で容器本体（１）に挿入されて容器本体（１）の内径の絞り部（１ｆ）を封止する第２の駒部材（４）と、容器本体（１）の後端に装着された封止材（５）とから主に構成される。
【００１２】
容器本体（１）の内部は、図１及び図３に示す様に、前半部（１ａ）、すなわち、図中の容器本体（１）の略上半分の部分が小径に形成され、後半部（１ｂ）、すなわち、図中の容器本体（１）の略下半分の部分が大径に形成される。そして、容器本体（１）は、使用時に内容物を簡単に押し出すことが出来る様に、指先による加圧によって変形させ得る程度の柔軟性を備えている。
【００１３】
図３に示す様に、容器本体（１）の先端部（１ｅ）（図中の容器本体（１）の上端部）の内周面には、後述するノズル（２）の鍔（２１）が嵌合する円環状の鍔嵌合部（１１）と、ノズル（２）の基部が挿入される円環状のノズル挿通部（１２）と、後述する第１の駒部材（３）のシール部（３３）が嵌合する円環状の第１の縮径部（１３）とが容器本体（１）の先端側から順次に設けられる。上記の鍔嵌合部（１１）及び第１の縮径部（１３）の各内径は、ノズル挿通部（１２）の内径よりも大きな直径に設定される。
【００１４】
また、容器本体（１）の絞り部（１ｆ）、すなわち、前半部（１ａ）と後半部（１ｂ）の内径の切り替わり部分の内周面には、後述する第２の駒部材（４）のシール部（４４）が嵌合する円環状の第２の縮径部（１４）が設けられる。第２の縮径部（１４）は、容器本体（１）の前半部（１ａ）の内径よりも大きく且つ後半部（１ｂ）の内径よりも小さな直径に設定される。また、容器本体（１）の後端部（図中の容器本体（１）の下端部）は、後述する封止材（５）を気密に装着するため、容器本体（１）の胴部よりも僅かに厚肉に形成される。なお、歯牙修復材などに適用される場合、容器本体（１）の内容積は、３〜１２ｃｍ３程度に設計される。
【００１５】
ノズル（２）は、図１に示す様に、容器本体（１）の先端部（１ｅ）に装着されるが、図２及び図３に示す様に、先端部（１ｅ）に挿入される基端側が略円筒状に形成され、容器本体（１）から突出する先端側が略円錐状に形成される。ノズル（２）の基端側の外径は、上記のノズル挿通部（１２）に嵌合する大きさに設計される。ノズル（２）の先端側は、容器を使用する際に内容物である液体を正確な位置に押し出すため、先端に向かうに従い漸次縮径された略円錐状に形成されており、そのテーパー角度（先端から視た場合の開き角度）は、３０〜６０°程度に設計される。
【００１６】
ノズル（２）の先端には、長さ２〜１６ｍｍの細管状の射出口（２３）が突設される。射出口（２３）の長さを上記の範囲に設定する理由は次の通りである。すなわち、射出口（２３）が１６ｍｍよりも長い場合は、内容物を断続的に押し出す様な使用態様において、液体の種類によっては射出口（２３）に滞留した内容物が内圧の変化で溢れ出すことがあるが、その溢れ量が多くなり実用上不都合を生じることがある。一方、射出口（２３）が２ｍｍよりも短い場合は、内容物をより細かな部位に塗布する際、射出口（２３）を目的の箇所に位置させることが出来ず、正確に塗布することが出来ないことがある。なお、歯牙修復材料に適用する場合、射出口（２３）の開口面積は０．１〜４ｍｍ２程度に設計される。
【００１７】
また、射出口（２３）の内部に入り込んだ液体の表面張力によるノズル（２）先端部内面（射出口（２３）の直下）における液溜まりをより低減するため、射出口（２３）基端の直近のノズル（２）先端部内面の開き角度は６０°以上に設定されるのが好ましい。
【００１８】
更に、図２及び図３に示す様に、ノズル（２）先端の射出口（２３）の基部の周囲には、射出口（２３）から若干の液体が溢れ出した場合でも溢れた液体がノズル（２）に沿って容器本体（１）側へ垂れることのない様に、円環状の窪み（２４）が設けられる。すなわち、ノズル（２）の先端部は、円錐の頂点部を僅かに切り取った形状になされ且つその頂点部に上記の射出口（２３）が突設され、そして、射出口（２３）の周囲に液体捕捉用の上記の窪み（２４）が設けられた構造を有する。
【００１９】
また、図１に示す様に、ノズル（２）の長さ方向の中央の外周部には、容器本体（１）の上記の鍔嵌合部（１１）に嵌合する環状の鍔（２１）が張出される。鍔（２１）は、容器本体（１）の先端部（１ｅ）にノズル（２）を押し込んだ場合、鍔嵌合部（１１）と共に移動終端を規定するストッパーとして機能する。すなわち、ノズル（２）は、開封前は基端部が容器本体（１）の先端部（１ｅ）に装着され、開封時には鍔（２１）が鍔嵌合部（１１）に嵌合するまで押し込まれる様になされている。なお、鍔（２１）が鍔嵌合部（１１）に入り込む構造を備えていることにより、一旦開封した後は、誤操作によりノズル（２）を取り外して容器本体（１）内の液体を飛散させる虞がない。
【００２０】
更に、ノズル（２）の基端部には、当該ノズルの中心線に沿って複数のスリット（２２）が設けられる。スリット（２２）は、ノズル（２）を押し込んだ際に容器本体（１）の先端側内部に突出するノズル（２）の基端部の略全長に亙って設けられる。スリット（２２）の幅は、ノズル（２）の大きさにもよるが、０．３〜１．２ｍｍ程度に設計される。上記の様なスリット（２２）が設けられていることにより、本発明の容器は、転倒状態で使用した場合でも、容器本体（１）の先端側内部に突出したノズル（２）の基端部と容器本体（１）の内周面との間に液溜まりが生じることがなく、容器本体（１）に収容された殆ど全ての液体を円滑に取り出すことが出来る。
【００２１】
第１の駒部材（３）は、図１に示す様に、容器本体（１）の先端部（１ｅ）を封止するための部材である。図１及び図２に示す様に、第１の駒部材（３）は、短軸の有底円筒状に形成され且つ外周面が上記の第１の縮径部（１３）に気密に嵌合するシール部（３３）と、容器本体（１）後端側のシール部（３３）の底面に付設された複数の支柱部（３５）とから構成される。
【００２２】
図示しないが、シール部（３３）の外周面には、シール性を高めるため、周方向に沿った条溝または凸条が複数設けられてもよい。支柱部（３５）は、第１の駒部材（３）を容器本体（１）の後端側へ移動させた際に第２の駒部材（４）を加圧するための部位であり、シール部（３３）の底面の中心を通る容器本体（１）の中心線周りに放射状に張出された板状片から成り、例えば図示する様に羽根状に３枚設けられる。
【００２３】
すなわち、第１の駒部材（３）は、ノズル（２）によってシール部（３３）を加圧されることにより、シール部（３３）が後方へ移動し、第１の縮径部（１３）におけるシールを解除する様になされ、かつ、同時に第２の駒部材（４）を移動させる様になされている。なお、第１の駒部材（３）がノズル（２）の基端に略当接する状態とは、ノズル（２）の基端に接触した状態またはノズル（２）の基端から約３ｍｍ以下の範囲で離間した状態を言う。
【００２４】
第２の駒部材（４）は、図１に示す様に、容器本体（１）の絞り部（１ｆ）を封止するための部材である。図１及び図２に示す様に、第２の駒部材（４）は、短軸の逆有底円筒状に形成され且つ外周面が上記の第２の縮径部（１４）に気密に嵌合するシール部（４４）と、容器本体（１）先端側のシール部（４４）の底面に付設された複数の支柱部（４５）とから構成される。
【００２５】
図示しないが、シール部（４４）の外周面には、シール性を高めるため、前述のシール部（３３）と同様に、周方向に沿った条溝または凸条が複数設けられてもよい。支柱部（４５）は、上記の第１の駒部材（３）の支柱部（３５）によって容器本体（１）の後端側へ加圧される部位であり、シール部（４４）の底面（先端面）の中心を通る容器本体（１）の中心線周りに放射状に張出された板状片から成り、例えば図示する様に羽根状に３枚設けられる。各支柱部（４５）は、容器本体（１）への第２の駒部材（４）の装填を容易にするため、容器本体（１）の内部形状に近似した形状に形成されるのが好ましい。
【００２６】
すなわち、第２の駒部材（４）は、第１の駒部材（３）によって支柱部（４５）を加圧されることにより、シール部（４４）が後方へ移動し、第２の縮径部（１４）におけるシールを解除する様になされている。なお、第２の駒部材（４）が第１の駒部材（３）の基端に略当接する状態とは、第２の駒部材（４）の支柱部（４５）の先端が第１の駒部材（３）の支柱部（３５）の後端に接触した状態または支柱部（３５）の後端から約３ｍｍ以下の範囲で離間した状態を言う。
【００２７】
封止材（５）は、図１及び図２に示す様に、容器本体（１）の後端を封止する蓋材であり、製造装置において把持し易い例えば略八角形などの円形に近似した多角形または円形の平面形状を有し且つ外周部が厚肉になされた略平板状に形成され、先端面側の外周部には、図２及び図３に示す様に、容器本体（１）の後端部の厚肉部が嵌合する環状の嵌合溝（５１）が設けられる。封止材（５）は、その嵌合溝（５１）を利用して容器本体（１）の後端に取り付けられ、かつ、通常は容器本体（１）に溶着または接着される。
【００２８】
本発明の容器は、上記の様に、第１の駒部材（３）によって容器本体（１）の先端部（１ｅ）を封止し、第２の駒部材（４）によって容器本体（１）の絞り部（１ｆ）を封止し、そして、封止材（５）によって容器本体（１）の後端を封止することにより、容器本体（１）を２室に分割し、容器本体（１）の前半部（１ａ）に第１の液体を収容し、容器本体（１）の後半部（１ｂ）に第２の液体を収容する様になされている。本発明の容器の組立にあたり、容器本体（１）内の部材および内容物である液体は、図２及び図３に示す様に、第１の駒部材（３）、第１の液体、第２の駒部材（４）、第２の液体の順で順次に容器本体（１）の後端から収容され、容器本体（１）の後端は、上記の封止材（５）で封止される。また、ノズル（２）は、液体の収容前または収容後に装着される。
【００２９】
本発明の容器は、容器本体（１）において上記の様な第１の駒部材（３）及び第２の駒部材（４）による封止構造を備えており、第１の駒部材（３）及び第２の駒部材（４）は、ノズル（２）の押込み操作により、当該ノズルに連動して容器本体（１）の先端部（１ｅ）における封止および容器本体（１）の絞り部（１ｆ）における封止をそれぞれ解除する様になされている。
【００３０】
また、本発明の容器においては、使用前のノズル（２）の汚染を防止すると共に、ノズル（２）の押込み操作を容易にするため、図１〜図３に示す様に、ノズル（２）を含む容器本体（１）の前半部（１ａ）には、長軸の逆有底円筒状の蓋（６）が被せられる。蓋（６）の上端側内周部には、当該蓋の中心線に沿って伸長され且つ下端がノズル（２）の鍔（２１）に当接する複数のリブ（６２）が備えられている。
【００３１】
更に、図１及び図３に示す様に、本発明の容器においては、開封後の液体の蒸発や漏れを防止するため、上記の蓋（６）の内側頂点には、ノズル（２）の射出口（２３）に挿入されて当該射出口を封止する針状突起（６４）が突設され、そして、針状突起（６４）の周囲には、蓋（６）を被せた際に針状突起（６４）へ向けて射出口（２３）を相対的に案内する円筒状の案内部（６３）が設けられる。すなわち、容器本体（１）に蓋（６）を被せた場合には、針状突起（６４）が射出口（２３）に突き刺さり且つ案内部（６３）の下端が前述のノズル（２）の窪み（２４）の嵌合する様になされている。
【００３２】
本発明の容器は、蓋（６）の内周部に上記の様なリブ（６２）が備えられているため、蓋（６）を押し下げることにより、容器本体（１）の内部へ向けてノズル（２）を容易に押し込むことが出来る。すなわち、本発明の容器を使用する場合は、図４（ａ）及び（ｂ）に示す様に、上記の蓋（６）を押し下げることにより、容器本体（１）に対してノズル（２）を押し込む。斯かるノズル（２）の押込み操作により、当該ノズルに連動し、第１の駒部材（３）及び第２の駒部材（４）は、容器本体（１）の後端側に向けて押し込まれ、容器本体（１）の先端部（１ｅ）における封止および絞り部（１ｆ）における封止をそれぞれ解除する。換言すれば、第１の駒部材（３）のシール部（３３）及び第２の駒部材（４）のシール部（４４）が先端部（１ｅ）の第１の縮径部（１３）及び絞り部（１ｆ）の第２の縮径部（１４）からそれぞれ外れ、これにより、容器本体（１）の前半部（１ａ）と後半部（１ｂ）が実質的に１室になる。
【００３３】
従って、容器本体（１）に収容された第１の液体と第２の液体は、容器本体（１）を適宜振る等することにより容易に混合することが出来る。その場合、第１の駒部材（３）及び第２の駒部材（４）は、図４（ｃ）に示す様に、容器本体（１）の内部で撹拌子として遊動し、第１の液体と第２の液体の混合を促進させる。そして、混合された液体は、図４（ｄ）に示す様に、蓋（６）を取り外し、容器本体（１）を傾転させるか或いは傾転させた状態で容器本体（１）を指先で押圧することにより、ノズル（２）を通じて取り出すことが出来る。
【００３４】
上記の様に、本発明の容器は、１つの容器本体（１）内に第１の駒部材（３）及び第２の駒部材（４）を収容し、容器本体（１）の先端と後端にノズル（２）と封止材（５）を取り付けただけの簡単な組立構造を備えている。そして、ノズル（２）を押し込むだけの一層容易な操作により、２つの液体を混合でき、かつ、混合された液体を直ちに取り出すことが出来る。
【００３５】
また、本発明の容器は、ノズル（２）が略円錐状に形成され且つその先端に細管状の射出口（２３）が突設されていることにより、対象物の細部に対して正確に液体を塗布することが出来、しかも、使用中に液体の取出を中断して容器を立てた場合にも、ノズル（２）内には射出口（２３）にしか液体が残留しないため、容器本体（１）内部の圧力変化などによる液体の溢れ出しを一層低減することが出来る。更に、本発明の容器は、射出口（２３）の基部の周囲に窪み（２４）が設けられていることにより、仮に若干の液体の漏れ出しがあった場合でも、漏れた液体を窪み（２４）によって捕捉できるため、容器本体（１）側への垂れを防止でき、容器本体（１）が汚れるのを防止することが出来る。
【００３６】
しかも、本発明の容器において、ノズル（２）の基端部に複数のスリット（２２）が設けられている場合には、スリット（２２）を通じて液体がノズル（２）の先端側に円滑に流れるため、容器本体（１）の先端側内周面とノズル（２）の基端部との間に液体が残留することがなく、容器本体（１）内の略全ての液体を円滑に取り出すことが出来る。また、蓋（６）の内側頂点に針状突起（６４）が突設され、針状突起（６４）の周囲に案内部（６３）が設けられている場合には、蓋（６）を被せた際に針状突起（６４）が射出口（２３）に確実に突き刺さり且つ針状突起（６４）が射出口（２３）を封止するため、開封後に混合液体を保管するにあたり、液体の蒸発や漏れを確実に防止することが出来る。
【００３７】
そして、本発明の容器は、上記の様に、予め計量充填された２種の液体を開封操作により直ちに混合して使用できるため、２種の液体を使用する際に複数の容器で計量混合する場合に比べ、混合操作における手間を軽減することが出来、かつ、容器への付着などによる材料としての液体の無駄をなくすことが出来る。しかも、開封する際に初めて２種の液体を混合する様になされているため、薬剤などの液体を一層長期に渡って保存でき、そして、開封後も混合液体の保管容器としてそのまま使用できる。
【００３８】
【発明の効果】
以上説明した様に、本発明の二液収納混合容器は、１つの容器本体内に第１の駒部材および第２の駒部材を収容し、容器本体の先端と後端にノズルと封止材を取り付けただけの簡単な組立構造を備えており、そして、本発明の二液収納混合容器によれば、ノズルを押し込むだけの一層容易な操作により、２つの液体を混合でき、かつ、混合された液体を直ちに取り出すことが出来る。
【図面の簡単な説明】
【図１】本発明に係る二液収納混合容器の内部構造を破断して示す斜視図である。
【図２】本発明に係る二液収納混合容器の組立構造を展開して示す斜視図である。
【図３】本発明に係る二液収納混合容器の組立構造を展開して示す縦断面図である。
【図４】本発明に係る二液収納混合容器の使用方法ならびに第１の駒部材と第２の駒部材の機能を示す縦断面図である。
【符号の説明】
１  ：容器本体
１ａ：容器本体の前半部
１ｂ：容器本体の後半部
１ｅ：容器本体の先端部
１ｆ：容器本体の絞り部
１１：鍔嵌合部
１３：第１の縮径部
１４：第２の縮径部
２  ：ノズル
２１：鍔
２２：スリット
２３：射出口
２４：窪み
３  ：第１の駒部材
３３：シール部
３５：支柱部
４  ：第２の駒部材
４４：シール部
４５：支柱部
５  ：封止材
６  ：蓋
６２：リブ
６３：案内部
６４：針状突起
【図１】
2005014990.tif 000003
【図２】
2005014990.tif 000004
【図３】
2005014990.tif 000005
【図４】
2005014990.tif 000006